(57)【要約】【課題】差込プラグの緩み抜けを判定する技術を提供する。【解決手段】差込プラグの緩みおよび抜け判定装置５０は、電気機器１０に設置され、リーダ／ライタ読取部２を差込プラグ７１に装着している。そして、管理部１２がＲＦＩＤリーダ／ライタ１１に指示を出してリーダ／ライタ読取部２から電波を出力し、ＩＤ識別部１３が、プラグ受け７０に貼付されているＲＦＩＤタグ１のＩＤの読み取りが可能か否かを判定する。なお、ＩＤ識別部１３は、電気機器１０が電源ＯＮされたときに読み取っておいたＲＦＩＤタグ１のＩＤと読み取ったＩＤとが一致した場合に、読み取りができたと判定する。ＲＦＩＤタグ１のＩＤの読み取りができなければ、ＩＤ識別部１３がＩＤ読取不可情報を出力する。そして、差込プラグ緩み抜け判定部１４は、受信したＩＤ読取不可情報に基づいて、差込プラグの緩みまたは抜けがあると判定する。【選択図】 図１
2010153367.tif 000002
【特許請求の範囲】
【請求項１】
電気機器に用いられ、プラグ受けと前記電気機器の差込プラグとの緩みまたは抜けを判定する差込プラグの緩み抜け判定装置であって、
前記緩み抜け判定装置は、ＲＦＩＤリードライト処理部、リーダ／ライタ読取部、ＩＤ識別部、および緩み抜け判定部を備え、
ＲＦＩＤタグが付された前記プラグ受けに、リーダ／ライタ読取部が装着された前記電気機器の差込プラグが差し込まれて、
前記ＲＦＩＤリードライト処理部が前記リーダ／ライタ読取部を介してＲＦＩＤタグの識別情報を読み取って、そのＲＦＩＤタグの識別情報を前記ＩＤ識別部に出力し、
前記ＩＤ識別部は、前記ＲＦＩＤリードライト処理部からの出力がなく、前記ＲＦＩＤタグの識別情報を読み取れていないと判定したときにＩＤ読取不可情報を出力し、
前記緩み抜け判定部が、前記ＩＤ読取不可情報を入力したときに、前記電気機器の差込プラグの緩みがあると判定すること
を特徴とする差込プラグの緩み抜け判定装置。
【請求項２】
前記ＲＦＩＤタグが付された前記プラグ受けに、前記リーダ／ライタ読取部が装着された前記電気機器の差込プラグが差し込まれて、
前記電気機器の電源がＯＮされた時点に読み取ったＲＦＩＤタグの識別情報を前記ＩＤ識別部が記憶し、
前記ＩＤ識別部が、前記所定の時間ごとに読み取ったＲＦＩＤタグの識別情報と、前記記憶したＲＦＩＤタグの識別情報とが一致するか否かを判定し、一致する識別情報がないと判定したときにＩＤ読取不可情報を出力すること
を特徴とする請求項１に記載の差込プラグの緩み抜け判定装置。
【請求項３】
前記電気機器が、さらに内蔵するバッテリに基づいて無停電で電力を他の電気機器に供給するものであって、前記電気機器の差込プラグを介して接続される電源の状態を監視する電源状態監視部を備え、
前記ＩＤ識別部が、前記ＲＦＩＤタグの識別情報を読み取れていないと判定したとき、または前記所定の時間ごとに読み取ったＲＦＩＤタグの識別情報と前記記憶したＲＦＩＤタグの識別情報とが一致しないと判定したときに、
前記電源状態監視部が、前記電源から電力の供給があるかないかを判定し、電源供給に係る判定結果を出力し、
前記緩み抜け判定部が、受信した前記電源供給に係る判定結果に基づいて、前記電源からの電力の供給がある場合、前記電気機器の差込プラグの緩みと判定し、前記電源から電力の供給がない場合、前記電気機器の差込プラグの抜けと判定すること
を特徴とする請求項２に記載の差込プラグの緩み抜け判定装置。
【請求項４】
前記電気機器は、前記電気機器の差込プラグの緩みまたは抜けと判定したとき、前記他の電気機器に、その判定結果を送信すること
を特徴とする請求項３に記載の差込プラグの緩み抜け判定装置。
【請求項５】
前記プラグ受けに応答距離の異なるＲＦＩＤタグが複数貼付され、
前記緩み抜け判定部は、前記所定の時間ごとに読み取ったＲＦＩＤタグの識別情報に基づいて、前記電気機器の差込プラグの緩みの度合いを判定すること
を特徴とする請求項２に記載の差込プラグの緩み抜け判定装置。
【請求項６】
前記緩み抜け判定部は、全てのＲＦＩＤタグの識別情報が読み取れないとき、前記電気機器の差込プラグの抜けと判定すること
を特徴とする請求項５に記載の差込プラグの緩み抜け判定装置。
【請求項７】
電気機器に用いられ、プラグ受けと前記電気機器の差込プラグとの緩みまたは抜けを判定する差込プラグの緩み抜け判定装置において用いられる緩み抜け判定方法であって、
前記緩み抜け判定装置は、ＲＦＩＤリードライト処理部、リーダ／ライタ読取部、ＩＤ識別部、および緩み抜け判定部を備え、
ＲＦＩＤタグが貼付された前記プラグ受けに、リーダ／ライタ読取部が装着された前記電気機器の差込プラグが差し込まれて、
前記ＲＦＩＤリードライト処理部が前記リーダ／ライタ読取部を介してＲＦＩＤタグの識別情報を読み取って、そのＲＦＩＤタグの識別情報を前記ＩＤ識別部に出力し、
前記ＩＤ識別部は、前記ＲＦＩＤリードライト処理部からの出力がなく、前記ＲＦＩＤタグの識別情報を読み取れていないと判定したときにＩＤ読取不可情報を出力し、
前記緩み抜け判定部が、前記ＩＤ読取不可情報を入力したときに、前記電気機器の差込プラグの緩みがあると判定すること
を特徴とする緩み抜け判定方法。
【請求項８】
差込プラグとプラグ受けとの緩みまたは抜けを判定する差込プラグの緩み抜け判定装置を備える無停電電源装置であって、
前記緩み抜け判定装置は、ＲＦＩＤリードライト処理部、リーダ／ライタ読取部、ＩＤ識別部、および緩み抜け判定部を備え、
ＲＦＩＤタグが付された前記プラグ受けに、リーダ／ライタ読取部が装着された前記無停電電源装置の差込プラグが差し込まれて、
前記ＲＦＩＤリードライト処理部が前記リーダ／ライタ読取部を介してＲＦＩＤタグの識別情報を読み取って、そのＲＦＩＤタグの識別情報を前記ＩＤ識別部に出力し、
前記ＩＤ識別部は、前記ＲＦＩＤリードライト処理部からの出力がなく、前記ＲＦＩＤタグの識別情報を読み取れていないと判定したときにＩＤ読取不可情報を出力し、
前記緩み抜け判定部が、前記ＩＤ読取不可情報を入力したときに、前記無停電電源装置の差込プラグの緩みがあると判定すること
を特徴とする無停電電源装置。
【請求項９】
差込プラグとプラグ受けとの緩みまたは抜けを判定する差込プラグの緩み抜け判定装置を備える人工呼吸器であって、
前記緩み抜け判定装置は、ＲＦＩＤリードライト処理部、リーダ／ライタ読取部、ＩＤ識別部、および緩み抜け判定部を備え、
ＲＦＩＤタグが付された前記プラグ受けに、リーダ／ライタ読取部が装着された前記人工呼吸器の差込プラグが差し込まれて、
前記ＲＦＩＤリードライト処理部が前記リーダ／ライタ読取部を介してＲＦＩＤタグの識別情報を読み取って、そのＲＦＩＤタグの識別情報を前記ＩＤ識別部に出力し、
前記ＩＤ識別部は、前記ＲＦＩＤリードライト処理部からの出力がなく、前記ＲＦＩＤタグの識別情報を読み取れていないと判定したときにＩＤ読取不可情報を出力し、
前記緩み抜け判定部が、前記ＩＤ読取不可情報を入力したときに、前記人工呼吸器の差込プラグの緩みがあると判定すること
を特徴とする人工呼吸器。
【発明の詳細な説明】
【技術分野】
【０００１】
本発明は、差込プラグの緩みおよび抜けを判定する技術に関する。
【背景技術】
【０００２】
一般的に、電気機器を使用するときには、建物構造物の壁面や床面等に設置されているプラグ受けまたは延長コードに取り付けられているプラグ受けに、電源コードの差込プラグを挿入して、電源を確保する。プラグ受けの形状や差込プラグの形状は、日本工業規格によって決められている。一般的なプラグ受けでは、垂直方向に差込プラグを差し込むため、時間の経過とともに、差込プラグが半抜けの状態になる場合がある。そして、半抜けの状態に気付かずにいて、突然に電源断となって、新たに取得した情報が失われたり、電気機器が故障したりすることになる。また、半抜けの状態が長く続くと、差込プラグの上に堆積していた塵や埃等に引火して、火事を引き起こすこともある。
【０００３】
特許文献１には、差込プラグがプラグ受けに不完全に挿入されている状態を検知するために、差込プラグにＲＦＩＤ（Radio Frequency IDentification）タグとＲＦＩＤセンサを装着しておき、差込プラグに設けた突起がプラグ受けに押し付けられ差込プラグ内部に押し込められたときに、ＲＦＩＤセンサの回路電源がＯＮにされるような構成が記載されている。そして、ＲＦＩＤセンサがＲＦＩＤタグからの応答を受信することによって、差込プラグがプラグ受けに密着していることを検知する。すなわち、機械式スイッチによって、差込プラグとプラグ受けとの状態が検知されている。
【先行技術文献】
【特許文献】
【０００４】
【特許文献１】特開２００６−２４５９８３号公報（特に、段落００２６参照）
【発明の概要】
【発明が解決しようとする課題】
【０００５】
しかしながら、特許文献１における機械式スイッチによる方法では、差込プラグに設けられた突起がプラグ受けを押しのける方向に作用するため、差込プラグとプラグ受けの抜けを早めてしまうという問題がある。また、特許文献１における機械式スイッチの方法では、プラグ受けを押しのける機構になっているため、差込プラグの緩みと判定する隙間の長さを調整することが困難である。
さらに、特許文献１では、差込プラグの緩みが有るか無いかだけしか特定できないという問題がある。すなわち、差込プラグが緩んでから抜けるまでには、ある程度の時間が経過するものであり、差込プラグの緩みの程度に応じて、多段階の警告をユーザに指示することが困難である。
【０００６】
そこで、本発明は前記した従来技術の問題点に鑑みて、差込プラグの緩みおよび抜けを判定することを課題とする。
【課題を解決するための手段】
【０００７】
前記課題を解決するために、本発明における差込プラグの緩み抜け判定装置は、リーダ／ライタ読込部を差込プラグに装着し、ＲＦＩＤリードライト処理部（ＲＦＩＤリーダ／ライタ）がリーダ／ライタ読取部によってプラグ受けに貼付されたＲＦＩＤタグのＩＤ情報を受信できるか否かを判定し、受信できない場合に差込プラグの緩み（しっかり差し込んでからの緩み、最初から差し込みが不十分）または抜けと判定することを特徴とする。また、応答距離の異なる複数のＲＦＩＤタグをプラグ受けに貼付することによって、緩みから抜けまでの状態を多段階で判定することを特徴とする。
【発明の効果】
【０００８】
本発明によれば、差込プラグの緩みおよび抜けを判定することが可能となる。
【図面の簡単な説明】
【０００９】
【図１】第１実施形態に係る差込プラグ緩み抜け判定システムの構成を示す図である。
【図２】第１実施形態の差込プラグ緩み抜け判定システムの処理の流れを示す図である。
【図３】差込プラグとプラグ受けとの間の隙間の距離とＩＤ読取不可情報を出力する距離の範囲との関係について示す図である。
【図４】第２実施形態に係る差込プラグ緩み抜け判定システムの構成を示す図である。
【図５】第２実施形態の差込プラグ緩み抜け判定システムの処理の流れを示す図である。
【図６】第２実施形態の差込プラグ緩み抜け判定システムの処理の流れのつづきを示す図である。
【図７】第３実施形態に係る差込プラグ緩み抜け判定システムの構成を示す図である。
【図８】第３実施形態の差込プラグ緩み抜け判定システムにおける無停電電源装置のプラグ受け側に係る処理の流れを示す図である。
【図９】第３実施形態の差込プラグ緩み抜け判定システムにおける無停電電源装置のプラグ受け側に係る処理の流れのつづきを示す図である。
【図１０】第３実施形態の差込プラグ緩み抜け判定システムにおける無停電電源装置の差込プラグ側に係る処理の流れを示す図である。
【図１１】第３実施形態の差込プラグ緩み抜け判定システムにおける無停電電源装置の差込プラグ側に係る処理の流れのつづきを示す図である。
【図１２】変形例において応答距離の異なるＲＦＩＤタグをプラグ受けの周囲に貼付した状態を示す図である。
【図１３】変形例における差込プラグとプラグ受けとの間の隙間の距離とＩＤ読取不可情報を出力する距離の範囲との関係について示す図である。
【図１４】第４実施形態において人工呼吸器に適用した場合の差込プラグ緩み抜け判定システムの構成を示す図である。
【図１５】人工呼吸器に適用した場合の差込プラグ緩み抜け判定システムの処理の流れを示す図である。
【発明を実施するための最良の形態】
【００１０】
次に、本発明を実施するための最良の形態（以降、「実施形態」と称す）について、適宜図面を参照しながら詳細に説明する。
【００１１】
（第１実施形態）
本発明の第１実施形態に係る差込プラグ緩み抜け判定システムの構成について図１を用いて説明する。図１は、第１実施形態に係る差込プラグ緩み抜け判定システムの構成を示す図である。
第１実施形態に係る差込プラグ緩み抜け判定システム１００は、図１に示すように、ＲＦＩＤタグ１、リーダ／ライタ読取部２、および電気機器１０を含む。
【００１２】
ＲＦＩＤタグ１は、プラグ受け７０に貼付される。ＲＦＩＤタグ１は、プラグ受けの差込口の間に貼付されたり（図１の１ａ参照）、差込口の周辺に貼付されたりする（図１の１ｂ，１ｃ参照）。
ここでのＲＦＩＤタグ１、例えば、密着型のＲＦＩＤタグを用いて、１ｍｍ以内の隙間を許容する（隙間が１ｍｍより大きい場合に差込プラグの緩みまたは抜けと判定する）ことが好適である。
また、ＲＦＩＤタグの応答距離をより長いものにすれば、その応答距離以内の隙間を許容することが可能になる。例えば、２．４５ＧＨｚで動作するミューチップ（登録商標）に取り付けるアンテナ利得を調整したり、リーダ／ライタ読取部２から出力される電波の強さを調整したりすることによって、実現することが可能である。
【００１３】
また、図１では、プラグ受けが壁面に固定されている場合またはテーブルタップの場合を示しているが、延長コードに取り付けられたプラグ受けであっても構わない。延長コードに取り付けられたプラグ受けの場合、ＲＦＩＤタグ１は、プラグ受けの絶縁物に貼付される。
また、プラグ受けの差込口は、図１に示す細長い形状のものが垂直に平行している場合だけに限られず、空調機用の水平方向の場合であってもよい。
【００１４】
リーダ／ライタ読取部２は、タグリーダ（質問器ともいう）であって、ＲＦＩＤタグ１へ電波を発信し、ＲＦＩＤタグ１からの応答である識別情報を受信する。
図１には、リーダ／ライタ読取部２が差込プラグ７１に内蔵されている場合の例、および差込プラグ７１の外部に装着されている場合の例を示している。
また、リーダ／ライタ読取部２は、電気機器１０に備えられているＲＦＩＤリーダ／ライタ１１に、信号線９を介してＲＦＩＤタグ１から読み取った識別情報を送信する。
【００１５】
電気機器１０は、図１に示すように、ＲＦＩＤリーダ／ライタ１１、管理部１２、ＩＤ識別部１３、差込プラグ緩み抜け判定部１４、電源制御部１５、および表示部１６を備えている。
なお、差込プラグの緩み抜け判定装置５０ａ（５０）は、ＲＦＩＤリーダ／ライタ１１、管理部１２、ＩＤ識別部１３、差込プラグ緩み抜け判定部１４、信号線９、およびリーダ／ライタ読取部２を含む部分である。
また、図１に示す電気機器１０は、バッテリを内蔵していないタイプの（電源コード７２を介する電源からの電力の供給が停止すると直ちに動作が停止してしまう）ものである。例えば、電気機器１０は、ＰＣ（Personal Computer）であってもよい。
【００１６】
管理部１２は、電気機器１０に備えられている各部（１１，１３〜１６）の制御を司る。また、管理部１２は、各部（１１，１３〜１６）間の情報の送受信を制御する。なお、各部（１２〜１５）は、マイコンやＣＰＵ（Central Processing Unit）によって実現される機能であって、アプリケーションプログラムを実行することによって、種々の演算処理が具現化される。
ＲＦＩＤリーダ／ライタ１１は、管理部１２からの指示に従って、所定の時間ごとにＲＦＩＤタグ１に、その識別情報を読み取るための信号を出力し、リーダ／ライタ読取部２から識別情報を受信する。そして、ＲＦＩＤリーダ／ライタ１１は、受信したＲＦＩＤタグ１の識別情報を出力する。なお、ＲＦＩＤリーダ／ライタ１１は、ＲＦＩＤタグ１からの応答を受信できない場合は、識別情報を出力しない。
【００１７】
ＩＤ識別部１３は、受信した識別情報を解析して、ＲＦＩＤタグ１のＩＤ（識別情報）を特定する。そして、ＩＤ識別部１３は、ＲＦＩＤタグ１のＩＤを読み取れなくなったときに、ＩＤ読取不可情報を管理部１２に出力する。また、ＩＤ識別部１３は、ＩＤ読取不可情報を出力した後、再び、ＲＦＩＤタグ１のＩＤを読み取ったときに、復旧情報を出力する。そして、ＩＤ識別部１３は、表示部１６に、「差込プラグの緩みが解消した」旨の表示を出力する。
なお、ＲＦＩＤタグ１のＩＤを読み取れなくなったときとは、ＩＤ識別部１３が、所定の時間ごとに、ＲＦＩＤリーダ／ライタ１１から識別情報を受け取れなくなったときである。
ただし、電気機器１０がパワーＯＮされた時に最初に読み取ったＲＦＩＤタグのＩＤは、一時的に記憶されるが、電気機器１０がパワーＯＦＦされた時には、消去されるものとする。
【００１８】
差込プラグ緩み抜け判定部１４は、ＩＤ読取不可情報を受信したときに、差込プラグの緩みがあると判定して、表示部１６に、「差込プラグに緩みがある」旨の表示を出力する。
また、差込プラグ緩み抜け判定部１４は、ＩＤ読取不可情報を受信した後、所定時間経過しても復旧情報を受信しない場合、管理部１２を介して、「差込プラグの緩みが解消されないため、所定時間経過後に、電気機器を停止させる」旨の表示を出力する。そして、差込プラグ緩み抜け判定部１４は、電源機器を停止させる停止情報を管理部１２に出力する。
【００１９】
電源制御部１５は、停止情報を受信したときに、予め決められた所定の手順にしたがって、電気機器１０をパワーＯＦＦする動作を実行する。この際、電源制御部１５は、管理部１２を介して、「パワーＯＦＦする」旨を、表示部１６に出力する。
表示部１６は、管理部１２からの表示の出力を、表示する。なお、表示は、文章でなく、エラーコードのような記号であってもよい。
【００２０】
次に、差込プラグ緩み抜け判定システム１００の処理の流れについて、図２を用いて説明する（適宜図１参照）。図２は、第１実施形態の差込プラグ緩み抜け判定システムの処理の流れを示す図である。
【００２１】
ステップＳ４０１では、管理部１２がＲＦＩＤリーダ／ライタ１１に指示を出してリーダ／ライタ読取部２から電波を出力し、ＩＤ識別部１３が、ＲＦＩＤタグ１のＩＤの読み取りが可能か否かを判定する。
ＲＦＩＤタグ１のＩＤの読み取りが可能であれば（ステップＳ４０１でＹｅｓ）、処理はステップＳ４０２へ進む。
ステップＳ４０２では、管理部１２は、電波の出力の指示を止めて所定時間待機する。そして、ステップＳ４０１へ戻る。
ＲＦＩＤタグ１のＩＤの読み取りができなければ（ステップＳ４０１でＮｏ）、ＩＤ識別部１３がＩＤ読取不可情報を出力し、処理はステップＳ４０３へ進む。
【００２２】
ここで、差込プラグ７１とプラグ受け７０との間の隙間の距離と、ＩＤ読取不可情報を出力する距離の範囲との関係について、図３を用いて説明する。図３は、差込プラグとプラグ受けとの間の隙間の距離とＩＤ読取不可情報を出力する距離の範囲との関係について示す図である。
図３の横軸は、差込プラグ７１とプラグ受け７０との間の隙間の距離を示している。また、縦軸は、電波強度を表している。
図３に示すように、隙間の距離がＲＦＩＤタグ１の応答距離の範囲を超えると、ＩＤ読取不可情報が出力される。すなわち、ＲＦＩＤタグ１の応答距離によって、ＩＤ読取不可情報の出力される隙間の距離を調整することが可能である。なお、応答距離は、ＲＦＩＤタグ１のＩＤの読み取りが可能な距離である。
【００２３】
図２へ戻って、ステップＳ４０３では、差込プラグ緩み抜け判定部１４は、ＩＤ読取不可情報を受信した場合、差込プラグの緩みがあるまたは差込プラグの抜けがあると判定する。
ステップＳ４０４では、差込プラグ緩み抜け判定部１４は、判定した結果を警告として表示部１６に表示し、電気機器１０のユーザに警告する。なお、差込プラグ緩み抜け判定部１４は、ＩＤ読取不可情報を受信した際に、ＲＦＩＤタグ１の応答を受信できていた状態から受信できない状態になった場合には「緩みが生じた」旨の警告を行い、電機機器１０の電源をＯＮしているのにもかかわらず、最初からＲＦＩＤタグ１の応答を受信できてい場合には「差込プラグの差し込み不足である」旨の警告を行うように区別してもよい。
【００２４】
ステップＳ４０５では、所定時間経過した後で、ステップＳ４０１と同様に、管理部１２は、ＲＦＩＤリーダ／ライタ１１を介して電波を出力し、ＩＤ識別部１３が、ＲＦＩＤタグ１のＩＤの読み取りが可能か否かを判定する。
そして、ＲＦＩＤタグ１のＩＤの読み取りが可能であれば（ステップＳ４０５でＹｅｓ）、処理は、ステップＳ４０６へ進む。
ステップＳ４０６では、ＩＤ識別部１３は、復旧情報を出力し、表示部１６に復旧したことを表示する。そして、処理は、ステップＳ４０１へ戻る。
ＲＦＩＤタグ１のＩＤの読み取りができなければ（ステップＳ４０５でＮｏ）、処理はステップＳ４０７へ進む。
【００２５】
ステップＳ４０７では、差込プラグ緩み抜け判定部１４は、ＩＤ読取不可情報を受信した後、所定時間経過しても復旧情報を受信しないので、「差込プラグの緩みが解消されないため、所定時間経過後に、電気機器を停止させる」旨の警告を表示部１６に表示する。
そして、ステップＳ４０８では、差込プラグ緩み抜け判定部１４は、電源機器を停止させる停止情報を管理部１２に出力する。そして、電源制御部１５は、管理部１２から停止情報を受信したときに、予め決められた所定の手順にしたがって、電気機器１０をパワーＯＦＦする動作を実行し、動作を停止する。この際、電源制御部１５は、「パワーＯＦＦする」旨を、表示部１６に出力する。
【００２６】
（変形例）
変形例では、応答距離の異なるＲＦＩＤタグをプラグ受け７０に貼付する場合について、図１２および図１３を用いて以下に説明する。図１２は、変形例において応答距離の異なるＲＦＩＤタグをプラグ受けの周囲に貼付した状態を示す図である。図１３は、変形例における差込プラグとプラグ受けとの間の隙間の距離とＩＤ読取不可情報を出力する距離の範囲との関係について示す図である。
【００２７】
図１２に示すように、応答距離の異なるＲＦＩＤタグ１およびＲＦＩＤタグ３が、プラグ受け７０の周囲に貼付されている。例えば、ＲＦＩＤタグ３の応答距離が、ＲＦＩＤタグ１の応答距離より長いものとする。その場合、ＲＦＩＤタグ３を貼る位置は、差込プラグ７１とプラグ受け７０との隙間の距離が所定の長さになるときに、応答距離の限界になるように決められればよい。また、ＲＦＩＤタグ３は、複数のプラグ受け７０に対して１つ設けるようにしても構わない。
【００２８】
図１３の横軸は、差込プラグ７１とプラグ受け７０との間の隙間の距離を示している。また、縦軸は、電波強度を表している。
なお、図１３には、ＲＦＩＤタグ３の応答距離が、ＲＦＩＤタグ１の応答距離より長い場合について示している。
ＲＦＩＤタグ１の応答距離をＲＦＩＤタグ３の応答距離より短くする方法として、ＲＦＩＤタグ１のアンテナの効率を悪くする（例えば、アンテナの長さを調整する）ことによって実現することが可能である。
図１３に示すように、隙間の距離がＲＦＩＤタグ１の応答距離の範囲およびＲＦＩＤタグ３の応答距離の範囲にある場合、差込プラグ緩み抜け判定部１４は、差込プラグの緩みがないと判定する。次に、ＲＦＩＤタグ１の応答距離の範囲を超えて、ＲＦＩＤタグ３の応答距離の範囲にある場合、差込プラグ緩み抜け判定部１４は、差込プラグの緩みがあると判定する。そして、ＲＦＩＤタグ１およびＲＦＩＤタグ３の応答距離の範囲を超える場合、差込プラグ緩み抜け判定部１４は、差込プラグの抜けと判定する。
【００２９】
なお、図１２の場合は２種類の応答距離の異なるＲＦＩＤタグ１，３を用いた場合について示したが、３以上の応答距離の異なるＲＦＩＤタグを用いることによって、差込プラグの緩みの状態を多段階で判定することが可能となる。
また、この変形例における処理の流れは、図２と同様であるので、図示を省略する。そして、図２のステップＳ４０３では、差込プラグ緩み抜け判定部１４は、読み取り可能なＲＦＩＤタグの種類に基づいて、前記したように差込プラグの緩みまたは抜けを区別して判定する。
【００３０】
以上、第１実施形態および変形例の差込プラグ緩み抜け判定システム１００（図１参照）は、プラグ受けに貼付された各ＲＦＩＤタグ１，３からの応答が、差込プラグに装着されたＲＦＩＤリーダ／ライタ読取部２によって読み取れなくなった状態に基づいて、差込ブラグの緩みまたは抜けを判定することが可能となる。また、差込プラグの緩みまたは抜けを判定することが可能となるため、差込プラグの上に堆積していた塵や埃等に引火して、火事を引き起こすことを防ぐ効果もある。
【００３１】
なお、電気機器１０の差込プラグ７１がプラグ受け７０に挿入され電気機器１０の電源がＯＮされたときに、ＲＦＩＤリーダ／ライタ１１がリーダ／ライタ読取部２を介して最初に受信したＲＦＩＤタグ１からの応答（ＲＦＩＤタグ１のＩＤ）を、ＩＤ識別部１３が記憶する。そして、ＩＤ識別部１３は、記憶したＩＤと読み取ったＩＤとが一致した場合に、読み取りができたと判定してもよい。このようにすることによって、確実に、プラグ受け７０と差込プラグ７１との接続状態を把握することが可能となる。
また、ＩＤ識別部１３は、予めＲＦＩＤタグ１のＩＤを記憶しておいて、記憶したＩＤと読み取ったＩＤとが一致した場合に、読み取りができたと判定してもよい。このようにすることによって、接続すべきプラグ受け７０を識別することが可能となる。
【００３２】
（第２実施形態）
第２実施形態は、無停電電源装置を介して、電気機器を接続して使用する形態において、無停電電源装置の差込プラグの緩み抜けを判定する差込プラグ緩み抜け判定システムである。無停電電源装置はバッテリを内蔵し、外部電源からの電力の供給が停止した場合でも、しばらくの間は、接続している電気機器に電力を供給し、その動作の継続を可能にするものである。
【００３３】
まず、第２実施形態に係る差込プラグ緩み抜け判定システムの構成について図４を用いて説明する。図４は、第２実施形態に係る差込プラグ緩み抜け判定システムの構成を示す図である。
第２実施形態に係る差込プラグ緩み抜け判定システム１１０は、図４に示すように、ＲＦＩＤタグ１、リーダ／ライタ読取部２、無停電電源装置２０、および電気機器３０を含む。
なお、ＲＦＩＤタグ１およびリーダ／ライタ読取部２は、第１実施形態と同様であるので、説明を省略する。
【００３４】
無停電電源装置２０は、図４に示すように、ＲＦＩＤリーダ／ライタ１１、管理部２２、ＩＤ識別部１３、差込プラグ緩み抜け判定部１４、供給元の電源状態監視部２５、表示部２６、バッテリ２７、およびプラグ受け２８を備えている。
なお、差込プラグの緩み抜け判定装置５０ｂ（５０）は、ＲＦＩＤリーダ／ライタ１１、管理部２２、ＩＤ識別部１３、差込プラグ緩み抜け判定部１４、供給元の電源状態監視部２５、信号線９、およびリーダ／ライタ読取部２を含む部分である。
また、ＲＦＩＤリーダ／ライタ１１、ＩＤ識別部１３、および差込プラグ緩み抜け判定部１４は、第１実施形態と同様であるので、説明を省略する。
【００３５】
管理部２２は、無停電電源装置２０に備えられている各部（１１，１３，１４，２５〜２８）の制御を司る。また、管理部２２は、各部（１１，１３，１４，２５〜２８）間の情報の送受信を制御する。なお、管理部２２は、マイコンやＣＰＵによって実現される機能であって、アプリケーションプログラムを実行することによって、種々の演算処理が具現化される。
管理部２２は、無停電電源装置２０自身の差込プラグ７１の緩みの状況を、無停電電源情報として、信号線８を介して、電気機器３０に送信する。
【００３６】
供給元の電源状態監視部２５は、プラグ受け７０を介して接続される外部電源から電力の供給があるかないかを判定する。そして、供給元の電源状態監視部２５は、その電源供給に係る判定結果を出力する。
表示部２６は、管理部２２からの表示の出力を表示する。なお、表示は、文章ではなく、エラーコードのような記号であってもよい。
バッテリ２７は、外部電源から電力の供給がある場合には電力を蓄積する。そして、バッテリ２７は、外部電源から電力が供給されなくなったときまたは電圧が低下したときに、蓄積した電力を放電する。
プラグ受け２８は、電気機器３０用のプラグ受けであり、電気機器３０の差込プラグ７３が挿入される。
【００３７】
電気機器３０は、バッテリを内蔵していないタイプの（電源からの電力の供給が停止すると直ちに動作が停止してしまう）ものであって、電源コード７４を介する電源の供給が止まったときに、動作が止まるものである。例えば、電気機器３０は、ＰＣ（Personal Computer）であってもよい。
電気機器３０は、管理部３１、電源制御部３２、および表示部３３を備えている。
管理部３１は、各部（３２，３３）の制御を司り、各部（３２，３３）間の情報の送受信を制御する。また、管理部３１は、無停電電源装置２０の管理部２２から送信される無停電電源情報を受信し、その情報に基づいて各部（３２，３３）を制御する。
電源制御部３２および表示部３３は、それぞれ第１実施形態における電源制御部１５および表示部１６（図１参照）と同様の動作であるので、説明を省略する。
【００３８】
次に、第２実施形態における差込プラグ緩み抜け判定システム１１０の処理の流れについて、図５および図６を用いて説明する（適宜図４参照）。図５は、第２実施形態の差込プラグ緩み抜け判定システムの処理の流れを示す図である。図６は、第２実施形態の差込プラグ緩み抜け判定システムの処理の流れのつづきを示す図である。
初めに、無停電電源装置２０側の処理の流れを説明する。
【００３９】
まず、無停電電源装置２０の差込プラグ７１がプラグ受け７０に挿入され、無停電電源装置２０の電源がＯＮされる。
そして、ステップＳ５０１では、管理部２２がＲＦＩＤリーダ／ライタ１１に指示を出してリーダ／ライタ読取部２から電波を出力し、ＩＤ識別部１３が、ＲＦＩＤタグ１のＩＤの読み取りが可能か否かを判定する。
【００４０】
ＲＦＩＤタグ１のＩＤの読み取りが可能であれば（ステップＳ５０１でＹｅｓ）、処理はステップＳ５０２へ進む。
ステップＳ５０２では、管理部２２は、電波の出力の指示を止めて所定時間待機する。そして、ステップＳ５０１へ戻る。
ＲＦＩＤタグ１のＩＤの読み取りができなければ（ステップＳ５０１でＮｏ）、ＩＤ識別部１３がＩＤ読取不可情報を出力し、処理はステップＳ５０３へ進む。
【００４１】
ステップＳ５０３では、差込プラグ緩み抜け判定部１４は、ＩＤ読取不可情報を受信した場合、差込プラグの緩みがあるまたは差込プラグの抜けがあると判定する。
ステップＳ５０４では、差込プラグ緩み抜け判定部１４は、判定した結果を警告として表示部２６に表示し、無停電電源装置２０のユーザに警告する。なお、差込プラグ緩み抜け判定部１４は、ＩＤ読取不可情報を受信した際に、ＲＦＩＤタグ１の応答を受信できていた状態から受信できない状態になった場合には「緩みが生じた」旨の警告を行い、電機機器１０の電源をＯＮしているのにもかかわらず、最初からＲＦＩＤタグ１の応答を受信できてい場合には「差込プラグの差し込み不足である」旨の警告を行うように区別してもよい。
【００４２】
ステップＳ５０５では、供給元の電源状態監視部２５は、外部から電源供給があるかないかを判定する。そして、供給元の電源状態監視部２５は、電源供給に係る判定結果を出力する。管理部２２では、電源供給に係る判定結果に基づいて、電源供給のある場合の処理および電源供給のない場合の処理を実行する。
電源供給がある場合（ステップＳ５０５でＹｅｓ）、処理はステップＳ５０６へ進む。
ステップＳ５０６では、管理部２２は、「無停電電源装置の差込プラグの緩み」に係る無停電電源情報を、プラグ受け２８に接続されている全ての電気機器３０に送信する。
そして、ステップＳ５０７では、所定時間経過した後で、ステップＳ５０１と同様に、管理部２２は、ＲＦＩＤリーダ／ライタ１１を介して電波を出力し、ＩＤ識別部１３が、ＲＦＩＤタグ１のＩＤの読み取りが可能か否かを判定する。
【００４３】
ＲＦＩＤタグ１のＩＤの読み取りが可能であれば（ステップＳ５０７でＹｅｓ）、処理は、ステップＳ５０８へ進む。
ＲＦＩＤタグ１のＩＤの読み取りができなければ（ステップＳ５０７でＮｏ）、処理はステップＳ５０５へ戻る。
ステップＳ５０８では、ＩＤ識別部１３は、復旧情報を出力し、表示部２６に復旧したことを表示する。
次に、ステップＳ５１１では、管理部２２が、復旧情報をプラグ受け２８に接続されている全ての電気機器３０に送信する。そして、処理は、ステップＳ５０１へ戻る。
【００４４】
電源供給がない場合（ステップＳ５０５でＮｏ）、処理はステップＳ５０９へ進む。
ステップＳ５０９では、管理部２２は、「無停電電源装置の差込プラグの抜け」に係る無停電電源情報を、プラグ受け２８に接続されている全ての電気機器３０に送信する。
そして、ステップＳ５１０では、所定時間経過した後で、ステップＳ５０１と同様に、管理部２２は、リーダ／ライタ読取部２を介して電波を出力し、ＩＤ識別部１３が、ＲＦＩＤタグ１のＩＤの読み取りが可能か否かを判定する。
ＲＦＩＤタグ１のＩＤの読み取りが可能であれば（ステップＳ５１０でＹｅｓ）、処理は、ステップＳ５０８へ進む。
【００４５】
ＲＦＩＤタグ１のＩＤの読み取りができなければ（ステップＳ５１０でＮｏ）、処理は図６に示すステップＳ５１２へ進む。
ステップＳ５１２では、差込プラグ緩み抜け判定部１４は、ＩＤ読取不可情報を受信した後、所定時間経過しても復旧情報を受信しないので、「無停電電源装置の差込プラグの抜けが解消されないため、所定時間経過後に、電気機器を停止させる」旨の警告を表示部２６に表示する。
【００４６】
そして、ステップＳ５１３では、差込プラグ緩み抜け判定部１４は、電源機器を停止させる停止情報を管理部２２に出力する。そして、管理部２２は、停止情報を受信したときに、プラグ受け２８に接続されている全ての電気機器３０に、電気機器３０の電源をＯＦＦすることを指示する機能停止情報を送信する。なお、無停電電源装置２０は、バッテリ２７の電源が続く限り、供給元の電源状態監視部２５にてプラグ受け７０を介して接続される外部電源から電力の供給があるかないかを判定し続ける。
【００４７】
次に、電気機器３０側の処理の流れを説明する。
ステップＳ５３１では、電気機器３０の管理部３１は、無停電電源装置２０から、「無停電電源装置の差込プラグの緩み」に係る情報を受信したとき、その旨を表示部３３に警告表示する。
また、ステップＳ５３２では、電気機器３０の管理部３１は、無停電電源装置２０から、「無停電電源装置の差込プラグの抜け」に係る情報を受信したとき、その旨を表示部３３に警告表示する。
【００４８】
そして、図６に示すように、ステップＳ５３３では、管理部３１は、復旧情報を受信しているか否かを判定する。
復旧情報を受信している場合（ステップＳ５３３でＹｅｓ）、処理はステップＳ５３４に進む。
ステップＳ５３４では、管理部３１は、無停電電源装置の電源が復旧した旨の復旧表示を表示部３３に表示する。そして、処理は、ステップＳ５３１へ戻る。
【００４９】
復旧情報を受信していない場合（ステップＳ５３３でＮｏ）、処理はステップＳ５３５に進む。
ステップＳ５３５では、管理部３１は、機能停止情報を受信しているか否かを判定する。
機能停止情報を受信している場合（ステップＳ５３５でＹｅｓ）、処理はステップＳ５３６に進む。
ステップＳ５３６では、管理部３１が電源制御部３２に、機能を停止するための停止情報を出力する。この際、管理部３１は、「パワーＯＦＦする」旨を、表示部３３に出力する。
ステップＳ５３７では、電源制御部３２は、管理部３１から停止情報を受信したときに、予め決められた所定の手順にしたがって、電気機器１０をパワーＯＦＦする動作を実行し、動作を停止する。
【００５０】
なお、電気機器３０における処理は、常に処理の割り込みを受け付けるようになっており、無停電電源装置２０からの信号を受信した地点から、それ以降の処理が実行されるものとする。
【００５１】
以上、第２実施形態の差込プラグ緩み抜け判定システム１１０（図４参照）は、プラグ受けに貼付された各ＲＦＩＤタグ１からの応答が、差込プラグに装着されたリーダ／ライタ読取部２によって読み取れなくなった状態および供給元の電源状態に基づいて、差込ブラグの緩みまたは抜けを判定することが可能となる。また、差込プラグの緩みまたは抜けを判定することが可能となるため、差込プラグの上に堆積していた塵や埃等に引火して、火事を引き起こすことを防ぐ効果もある。
また、その差込プラグの緩みまたは抜けに係る判定結果に基づいて、無停電電源装置２０に接続されている電気機器３０に、無停電電源装置２０の電源の状況を通知するので、電気機器３０は、早めに、安全に動作を停止させることが可能となる。
【００５２】
（第３実施形態）
第３実施形態は、無停電電源装置のプラグ受けに関して差込プラグの緩み抜けを判定する処理を、第２実施形態に示した無停電電源装置自身の差込プラグの緩み抜けを判定する処理に追加している。
なお、第２実施形態において示した構成と同じものには、同じ符号を付し、説明を省略する。
【００５３】
まず、第３実施形態に係る差込プラグ緩み抜け判定システムの構成について図７を用いて説明する。図７は、第３実施形態に係る差込プラグ緩み抜け判定システムの構成を示す図である。
第３実施形態に係る差込プラグ緩み抜け判定システム１２０は、図７に示すように、ＲＦＩＤタグ１、リーダ／ライタ読取部２、無停電電源装置４０、および電気機器３０を含む。
なお、ＲＦＩＤタグ１、リーダ／ライタ読取部２、および電気機器３０は、第２実施形態と同様であるので、説明を省略する。
【００５４】
無停電電源装置４０は、図７に示すように、ＲＦＩＤリーダ／ライタ４１、管理部４２、ＩＤ識別部４３、差込プラグ緩み抜け判定部４４、供給元の電源状態監視部２５、表示部２６、バッテリ２７、およびプラグ受け４８を備えている。
なお、差込プラグの緩み抜け判定装置５０ｃ（５０）は、ＲＦＩＤリーダ／ライタ４１、管理部４２、ＩＤ識別部４３、差込プラグ緩み抜け判定部４４、供給元の電源状態監視部２５、信号線９、およびリーダ／ライタ読取部２を含む部分である。
また、ＲＦＩＤリーダ／ライタ４１、管理部４２、ＩＤ識別部４３、および差込プラグ緩み抜け判定部４４は、第２実施形態において示したＲＦＩＤリーダ／ライタ１１、管理部２２、ＩＤ識別部１３、および差込プラグ緩み抜け判定部１４の機能だけでなく、プラグ受け４８と差込プラグ７３との間の緩みまたは抜けを判定可能なようになっている。
また、供給元の電源状態監視部２５、表示部２６、およびバッテリ２７は、第２実施形態と同様であるので、説明を省略する。
【００５５】
プラグ受け４８は、電気機器３０用のプラグ受けであり、電気機器３０の差込プラグ７３が挿入される。プラグ受け４８には、リーダ／ライタ読取部２が装着されている。そして、リーダ／ライタ読取部２によって読み取られた差込プラグ７３に装着されているＲＦＩＤタグ１の識別情報は、信号線９を介して、無停電電源装置４０に備えられているＲＦＩＤリーダ／ライタ４１に送信される。
【００５６】
次に、第３実施形態における差込プラグ緩み抜け判定システム１２０の処理の流れについて、図８〜図１１を用いて説明する（適宜図７参照）。図８，図９は、第３実施形態の差込プラグ緩み抜け判定システムにおける無停電電源装置のプラグ受け側に係る処理の流れを示す図である。図１０、図１１は、第３実施形態の差込プラグ緩み抜け判定システムにおける無停電電源装置の差込プラグ側に係る処理の流れを示す図である。
【００５７】
まず、図８に示す処理の流れについて説明する。
無停電電源装置４０（プラグ受け側）のステップＳ７０１〜Ｓ７０４、ステップＳ７０６〜Ｓ７０８、およびステップＳ７１１は、それぞれ、図５に示すステップＳ５０１〜Ｓ５０４、ステップＳ５０６〜Ｓ５０８、およびステップＳ５１１と同様の処理である。
また、電気機器３０のステップＳ７３２は、管理部３１が、ステップＳ７０６に対応する警告表示を、表示部３３に表示するものである。
【００５８】
図９に示す電気機器３０の処理では、ステップＳ７３３，Ｓ７３４，Ｓ７３６，およびＳ７３７は、それぞれ、図６に示すステップＳ５３３，Ｓ５３４，Ｓ５３６，およびＳ５３７と同様の処理である。
【００５９】
次に、無停電電源装置４０（差込プラグ側）の図１０に示すステップＳ９０１〜Ｓ９１１および図１１に示すステップＳ９１２〜Ｓ９１３は、それぞれ、図５に示すステップＳ５０１〜Ｓ５１１および図６に示すステップＳ５１２〜Ｓ５１３と同様の処理である。
また、電気機器３０の図１０に示すステップＳ９３１，Ｓ９３２および図１１に示すステップＳ９３３〜Ｓ９３７は、それぞれ、図５に示すステップＳ５３１，Ｓ５３２および図６に示すステップＳ５３３〜Ｓ５３７と同様の処理である。
【００６０】
以上、第３実施形態の差込プラグ緩み抜け判定システム１２０（図７参照）は、プラグ受けに貼付された各ＲＦＩＤタグ１からの応答が、差込プラグに装着されたリーダ／ライタ読取部２によって読み取れなくなった状態および供給元の電源状態に基づいて、差込ブラグの緩みまたは抜けを判定することが可能となる。また、差込プラグの緩みまたは抜けを判定することが可能となるため、差込プラグの上に堆積していた塵や埃等に引火して、火事を引き起こすことを防ぐ効果もある。
また、その差込プラグの緩みまたは抜けに係る判定結果に基づいて、無停電電源装置４０に接続されている電気機器３０に、無停電電源装置４０の電源の状況を通知するので、電気機器３０は、早めに、安全に動作を停止させることが可能となる。
【００６１】
（第４実施形態）
第４実施形態では、人工呼吸器に適用した場合の差込プラグの緩み抜けを判定する構成およびその処理について説明する。第４実施形態における人工呼吸器６０は、電気機器の好適な一例である。
【００６２】
まず、第４実施形態における差込プラグ緩み抜け判定装置５０ｄの構成について、図１４を用いて説明する。なお、第１実施形態において示した差込プラグ緩み抜け判定装置５０ａの構成と同じものには、同じ符号を付し、説明を省略する。第４実施形態の差込プラグ緩み抜け判定装置５０ｄが、第１実施形態の差込プラグ緩み抜け判定装置５０ａと異なる構成は、警告制御部６１および警告音停止ＳＷ（スイッチ）６２を備えていることである。なお、人工呼吸器６０が使用される環境では微弱な電波しか出力してはいけないこと（例えば、病院等）を考慮すると、ＲＦＩＤタグ１は、無線通信距離が２ｍｍ程度までの密着型が用いられることが好ましい。ただし、ＲＦＩＤタグ１の出力電波が他の医療機器や人体への影響を及ぼさないように、ＲＦＩＤタグ１とリーダ／ライタ読取部２との間の環境がシールド等によって閉じられた空間とされる場合には、これに限られない。
【００６３】
警告制御部６１は、差込プラグ緩み抜け判定部１４の判定に基づいて、人工呼吸器６０のスピーカ（図示なし）から警告音を出力させたり、表示部１６に警告メッセージを表示させたりする。
警告音停止ＳＷ６２は、人工呼吸器６０の管理者が、警告音の出力を停止するために操作するＳＷ（スイッチ）である。
【００６４】
次に、第４実施形態の差込プラグ緩み抜け判定システム１３０の処理の流れについて、図１５を用いて説明する（適宜図１４参照）。
ステップＳ１００１では、管理部１２がＲＦＩＤリーダ／ライタ１１に指示を出してリーダ／ライタ読取部２から電波を出力し、ＩＤ識別部１３が、ＲＦＩＤタグ１のＩＤの読み取りが可能か否かを判定する。例えば、ＩＤの読み取りが可能な距離は、１ｍｍや２ｍｍ程度である。
ＲＦＩＤタグ１のＩＤの読み取りが可能であれば（ステップＳ１００１でＹｅｓ）、処理はステップＳ１００２へ進む。
ステップＳ１００２では、管理部１２は、電波の出力の指示を止めて所定時間待機する。そして、ステップＳ１００１へ戻る。
ＲＦＩＤタグ１のＩＤの読み取りができなければ（ステップＳ１００１でＮｏ）、ＩＤ識別部１３がＩＤ読取不可情報を出力し、処理はステップＳ１００３へ進む。
【００６５】
ステップＳ１００３では、差込プラグ緩み抜け判定部１４は、ＩＤ読取不可情報を受信した場合、差込プラグの緩みがあるまたは差込プラグの抜けがあると判定する。
ステップＳ１００４では、差込プラグ緩み抜け判定部１４は、判定した結果を警告として警告音を出力し、人工呼吸器６０の管理者に警告する。なお、差込プラグ緩み抜け判定部１４は、ＩＤ読取不可情報を受信した際に、ＲＦＩＤタグ１の応答を受信できていた状態から受信できない状態になった場合には「緩みが生じた」旨の警告を行い、人工呼吸器６０の電源をＯＮしているのにもかかわらず、最初からＲＦＩＤタグ１の応答を受信できていない場合には「差込プラグの差し込み不足である」旨の警告を行うように、警告音の種類を区別してもよい。
【００６６】
ステップＳ１００５では、所定時間経過した後で、ステップＳ１００１と同様に、管理部１２は、ＲＦＩＤリーダ／ライタ１１を介して電波を出力し、ＩＤ識別部１３が、ＲＦＩＤタグ１のＩＤの読み取りが可能か否かを判定する。
そして、ＲＦＩＤタグ１のＩＤの読み取りが可能であれば（ステップＳ１００５でＹｅｓ）、処理は、ステップＳ１００６へ進む。
ステップＳ１００６では、ＩＤ識別部１３は、緩みが復旧したものと判定して復旧情報を出力し、警告音の出力を停止する。そして、処理は、ステップＳ１００１へ戻る。
ＲＦＩＤタグ１のＩＤの読み取りができなければ（ステップＳ１００５でＮｏ）、処理はステップＳ１００７へ進む。
【００６７】
ステップＳ１００７では、差込プラグ緩み抜け判定部１４は、差込プラグ７１の緩みが解消されないと判定し、「差込プラグ緩み抜けを解消する」旨の警告、または「商用電源が停電している場合には人工呼吸器６０の内部電源に切り換えて、警告音の出力を停止するための警告音停止ＳＷ（スイッチ）６２を操作する」旨の警告を表示部１６に表示する。
そして、ステップＳ１００８では、警告制御部６１は、警告音停止ＳＷ６２の操作が実行されたか否かを判定する。
警告音停止ＳＷ６２の操作が実行されたと判定した場合（ステップＳ１００８でＹｅｓ）、警告制御部６１は、内部電源が作動していることを確認し、警告音の出力を停止する。
また、警告音停止ＳＷ６２の操作が実行されていないと判定した場合（ステップＳ１００８でＮｏ）、処理は、ステップＳ１００４へ戻る。
【００６８】
以上、第４実施形態の差込プラグ緩み抜け判定システム１３０（図１４参照）は、プラグ受けに貼付されたＲＦＩＤタグ１からの応答が、差込プラグに装着されたＲＦＩＤリーダ／ライタ読取部２によって読み取れなくなった状態に基づいて、差込ブラグの緩みまたは抜けを判定することが可能となる。そして、緩みまたは抜けと判定した場合には、警告音を出力して、人工呼吸器６０（電気機器）の管理者に警告することができる。そのため、管理者は早期に安全な処置を施すことが可能となる。なお、緩みと判定する距離を短くすることは、ＲＦＩＤタグ１の出力を抑えること、および早期に緩みに対する対策を施すこと、の両面を満足することができる。
【符号の説明】
【００６９】
１，３    ＲＦＩＤタグ
２        リーダ／ライタ読取部
１０      電気機器
１１      ＲＦＩＤリーダ／ライタ（ＲＦＩＤリードライト処理部）
１２，２２，４２  管理部
１３，４３  ＩＤ識別部
１４，４４  差込プラグ緩み抜け判定部
２０，４０  無停電電源装置
２５        供給元の電源状態監視部
１５，３２  電源制御部
２８，４８，７０  プラグ受け
５０      差込プラグの緩み抜け判定装置
６０      人工呼吸器（電気機器）
６１      警告制御部
６２      警告音停止ＳＷ
７１，７３  差込プラグ
１００，１１０，１２０，１３０  差込プラグ緩み抜け判定システム
【図１】
2010153367.tif 000003
【図２】
2010153367.tif 000004
【図３】
2010153367.tif 000005
【図４】
2010153367.tif 000006
【図５】
2010153367.tif 000007
【図６】
2010153367.tif 000008
【図７】
2010153367.tif 000009
【図８】
2010153367.tif 000010
【図９】
2010153367.tif 000011
【図１０】
2010153367.tif 000012
【図１１】
2010153367.tif 000013
【図１２】
2010153367.tif 000014
【図１３】
2010153367.tif 000015
【図１４】
2010153367.tif 000016
【図１５】
2010153367.tif 000017